(57)【要約】      （修正有）【課題】紙葉類を大きく屈曲させることなく、確実に分岐搬送できるようにする。【解決手段】紙葉類を挟持搬送し、揺動することにより搬出端側を第１の位置、及び第２の位置に移動させ、紙葉類の搬送方向を切り替える分岐搬送手段２１と、第１の位置に搬入端側を近接して設けられ、分岐搬送手段の搬出端から搬出される紙葉類を搬入させて搬送する第１の分岐後搬送手段２２と、第２の位置に搬入端側を近接して設けられ、分岐搬送手段の搬出端から搬出される紙葉類を搬入させて搬送する第２の分岐後搬送手段２３とを具備する。【選択図】図２
2013193823.tif 000002
【特許請求の範囲】
【請求項１】
紙葉類を挟持搬送し、揺動することにより搬出端側を第１の位置、及び第２の位置に移動させ、前記紙葉類の搬送方向を切り替える分岐搬送手段と、
前記第１の位置に搬入端側を近接して設けられ、前記分岐搬送手段の搬出端から搬出される前記紙葉類を搬入させて搬送する第１の分岐後搬送手段と、
前記第２の位置に搬入端側を近接して設けられ、前記分岐搬送手段の搬出端から搬出される前記紙葉類を搬入させて搬送する第２の分岐後搬送手段と、
を具備する紙葉類分岐搬送装置。
【請求項２】
前記分岐搬送手段、さらに前記第１及び第２の分岐後搬送手段は、それぞれ搬送ベルト対により前記紙葉類を立位状態で挟持搬送する請求項１記載の紙葉類分岐搬送装置。
【請求項３】
前記第１及び第２の分岐後搬送手段は、その搬送ベルト対を前記紙葉類の立位方向に所定間隔の隙間を存して平行に一対備える請求項２記載の紙葉類分岐搬送装置。
【請求項４】
前記分岐搬送手段は、その搬送ベルト対の一方を他方よりも搬送方向下流側に延出させ、揺動時には前記延出部を前記第１及び第２の分岐後搬送手段の一対の搬送ベルト対間の隙間に通過させる請求項３記載の紙葉類分岐搬送装置。
【請求項５】
紙葉類区分処理装置に搭載される請求項１乃至４の何れか一項記載の紙葉類分岐搬送装置。
【発明の詳細な説明】
【技術分野】
【０００１】
本発明の実施形態は、紙葉類分岐搬送装置に関する。
【背景技術】
【０００２】
書状取り扱い搬送機や、郵便書状区分機等では、一つの搬送路から複数の分岐後搬送部に書状を切り替えて搬送する紙葉類分岐搬送装置を備えている。
【０００３】
この紙葉類分岐搬送装置では、一つの搬送路と複数の分岐後搬送部との間に切換えゲートを備え、この切換えゲートを動作させることにより、紙葉類の搬送方向を切り替えて複数の分岐後搬送部に選択的に導入させて搬送するようになっている。
【０００４】
しかしながら、従来においては、柔らかい紙葉類を挟持搬送することを前提とし、切換えゲートにより紙葉類を大きく屈曲させていたため、分岐できる紙葉類の厚さや、硬さに制限があり、分岐性能に問題があった。
【０００５】
なお、一つの搬送路と複数の分岐後搬送部との間のスペースを大きくすることにより、紙葉類を大きく屈曲させることなく分岐することが可能となるが、この場合には、紙葉類を挟持できなくなる部分が生じ、搬送安定性が損なわれてしまうという問題がある。
【先行技術文献】
【特許文献】
【０００６】
【特許文献１】特開平９−３０７０７号公報
【発明の概要】
【発明が解決しようとする課題】
【０００７】
解決しようとする課題は、紙葉類を大きく屈曲させることなく、しかも、搬送安定性を維持して分岐搬送できるようにした紙葉類分岐搬送装置を提供することにある。
【課題を解決するための手段】
【０００８】
課題を解決するため、実施の形態は、紙葉類を挟持搬送し、揺動することにより搬出端側を第１の位置、及び第２の位置に移動させ、前記紙葉類の搬送方向を切り替える分岐搬送手段と、前記第１の位置に搬入端側を近接して設けられ、前記分岐搬送手段の搬出端から搬出される前記紙葉類を搬入させて搬送する第１の分岐後搬送手段と、前記第２の位置に搬入端側を近接して設けられ、前記分岐搬送手段の搬出端から搬出される前記紙葉類を搬入させて搬送する第２の分岐後搬送手段とを具備する。
【図面の簡単な説明】
【０００９】
【図１】一実施形態である郵便物処理装置を示す概略的構成図。
【図２】図１の郵便物処理装置に備えられる紙葉類分岐搬送装置を示す平面図。
【図３】図２の紙葉類分岐搬送装置を示す正面図。
【図４】図２の紙葉類分岐搬送装置を一部省略して示す斜視図。
【図５】図２の紙葉類分岐搬送装置の分岐動作を示す図。
【図６】図２の紙葉類分岐搬送装置の分岐動作を示す図。
【発明を実施するための形態】
【００１０】
以下、実施の形態について、図面を参照して説明する。
【００１１】
図１は、本発明の一実施の形態である郵便物処理機を示す平面図である。
【００１２】
図中１は、ホッパーで、このホッパー1内には市中のポスト等から集められてきた郵袋から取り出された紙葉類としての郵便物が投入される。このホッパー１に投入される郵便物は、機械処理できる定型郵便物と機械処理できない定型外郵便物が混在している。
【００１３】
ホッパー１には厚さ選別部２ａ及び幅選別部２ｂが接続されている。厚さ選別部２ａ及び幅選別部２ｂは所定厚さ以上の郵便物と所定幅以上の定型外の郵便物を排除し、定型の郵便物のみを通過させる。
【００１４】
厚さ選別部２ａ及び幅選別部２ｂには重なった状態の郵便物をずらすための、ずらし部３が接続され、このずらし部３には郵便物を一通ずつ取り出す一通取出部４が接続されている。一通取出部４には郵便物を集積し供給するバッファーフィーダ部５が接続されている。また、バッファーフィーダ部５には、人の手によって揃えられた定型郵便物を追加投入するためのローカルフィーダー部７が接続されている。
【００１５】
バッファーフィーダ部５は、定型郵便物を１通ずつ取り出して搬送路８へ立位状態で送り出すものである。搬送路８中には、郵便物の姿勢を修正する姿勢制御部１０が設けられ、この姿勢制御部１０の郵便物送出側には姿勢が修正されなかった郵便物を排除させるための排除部１１が設けられている。
【００１６】
また、郵便物の搬送方向には、第１及び第２の読取手段１３，１４が配設されている。排除部１１に排除されなかった郵便物は、第１の読取手段１３によってその表裏面の画像が読み取られ、続いて第２の読取手段１４によって同じく表裏面の画像が読み取られる。
【００１７】
第２の読取手段１４の搬出側には、郵便物上の料額印の種類及び位置情報など基づいて郵便物の方向を揃えるためのスイッチバック部１６が接続されている。スイッチバック部１６の搬出側には郵便物を上下反転させる反転制御部１７、及び正転制御部１８、さらに、郵便物上の料額印を消印する消印部Ｓが接続されている。
【００１８】
消印部Ｓの搬出側には複数個の集積部１９が接続され、第１及び第２の読取手段１３，１４の画像読取情報に基づいて集積部１９に郵便物が区分集積されるようになっている。
【００１９】
次に、上記した郵便処理機の処理動作について説明をする。
【００２０】
まず、市中のポスト等から集められてきた郵袋から郵便物を取り出し、これをホッパー１内に投入する。ホッパー１に投入された郵便物は、厚さ、幅選別部２ａ、２ｂに送られて厚さ、幅が選別される。これにより、所定厚さ以上の郵便物と所定幅以上の定型外郵便物が排除され、定型の郵便物のみが通過する。この定型郵便物は重なっている場合には、ずらし部３でずらされたのち、一通取出部４によって一通ずつ取り出される。この取り出された郵便物は、バッファーフィーダ部５へ供給される。追加投入の郵便物がある場合には、ローカルフィーダー部７からバッファーフィーダ部５へ郵便物が供給される。この供給後、バッファーフィーダ部５から定型郵便物が１通ずつ取り出され、搬送路８へ供給される。搬送路８へ供給された定型郵便物は、姿勢制御部１０を通ることによってその搬送姿勢が正しい状態に修正される。姿勢が正しく修正されない郵便物は、排除集積部に排除される。排除されなかった郵便物は、第１の読取手段１３によってその表裏面の画像が読み取られ、続いて第２の読取手段１４によって同じく表裏面の画像が読み取られる。この読取後、郵便物は、方向を揃えるためのスイッチバック部１６でスイッチバックされ、或いはスイッチバックされることなく搬送され、ついで、反転部１７で反転され、或いは正転部１８を通過する。これにより、郵便物上の料額印の位置が揃えられ、この料額印は消印部Ｓで消印される。そして、この消去後、第１及び第２の読取手段１３，１４によって読み取られた画像読取情報に基づいて集積部１９に郵便物が区分集積される。
【００２１】
図２は、上記した複数の集積部１９の郵便物搬入側に配設される分岐搬送装置２０を示す平面図で、図３はその正面図、図４はその斜視図である。
【００２２】
分岐搬送装置２０は、画像読取情報に基づいて動作し、郵便物の搬送方向を切り替えて集積部１９に区分集積させるものである。
【００２３】
分岐搬送装置２０は、郵便物の搬送方向を第１及び第２の方向に切り替える分岐搬送部（分岐搬送手段）２１と、この分岐搬送部２１によって切り替えられる第１及び第２の方向に配設される第１及び第２の分岐後搬送部（分岐後搬送手段）２２，２３とを備えている。
【００２４】
分岐搬送部２１は、搬送方向に沿って所定間隔を存して配設されるローラ２５ａ〜２５ｃと、これらローラ２５ａ〜２５ｃ間に掛け渡される第１の搬送ベルト２６と、ローラ２７ａ，２７ｂ間に掛け渡され、前記第１の搬送ベルト２６とにより郵便物を挟持し立位状態で搬送する第２の搬送ベルト２８とを有している。第２の搬送ベルト２８を掛け渡すローラ２７ｂは、第１の搬送ベルト２６を掛け渡すローラ２５ａよりも搬送方向下流側に位置されている。
【００２５】
第１の分岐後搬送部２２は、ローラ２９と、このローラ２９に掛け渡される第３の搬送ベルト３０と、ローラ３１に掛け渡され、前記第３の搬送ベルト３０とにより郵便物を立位状態で挟持搬送する第４の搬送ベルト３２とを有している。第３の搬送ベルト３０を掛け渡すローラ２９は、第４の搬送ベルト３２を掛け渡すローラ３１よりも所定距離だけ搬送方向下流側に位置されている。
【００２６】
第２の分岐後搬送部２３は、ローラ３３と、このローラ３３に掛け渡される第５の搬送ベルト３４と、ローラ３５に掛け渡され、前記第５の搬送ベルト３４とにより郵便物を立位状態で挟持搬送する第６の搬送ベルト３６とを有している。第５の搬送ベルト３４を掛け渡すローラ３３は、第６の搬送ベルト３６を掛け渡すローラ３５よりも所定距離だけ搬送方向下流側に位置されている。
【００２７】
上記した第１の分岐後搬送部２２は、図３に示すように、下部基板３８と、この下部基板３８に離間対向する上部基板３９とを有している。上記した第３の搬送ベルト３０及び第４の搬送ベルト３２は、下部基板３８と上部基板３９にそれぞれ配設され、所定間隔の隙間４０を介して離間対向されている。
【００２８】
また、上記した第２の分岐後搬送部２３も、図３に示すように、第５の搬送ベルト３４及び第６の搬送ベルト３６を下部基板３８と上部基板３９にそれぞれ配設し、所定間隔の隙間４０を存して離間対向されている。
【００２９】
一方、上記した分岐搬送部２１は図４にも示すように、第１の搬送ベルト２６を掛け渡すローラ２５ａ〜２５ｃは揺動基板４１上に搭載されて、その一端部側には図３に示すように駆動モータ４２の駆動軸４２ａが接続されている。揺動基板４１は、駆動モータ４２の正逆回転により揺動され、その揺動端部側のローラ２５ｃを第１の分岐後搬送部２２のローラ３１、或いは第２の分岐後搬送部２３のローラ３５に選択的に近接させるようになっている。
【００３０】
また、分岐搬送部２１の第２の搬送ベルト２８を掛け渡すローラ２７ｂは揺動レバー４４の揺動端側に設けられている。揺動レバー４４の基端部側には駆動軸４５が接続され、揺動レバー４４は駆動軸４５の正逆回転により揺動される。この揺動により、ローラ２７ｂは第１の分岐後搬送部２２の上下の第３及び第４の搬送ベルト３０，３２間の隙間４０を通過して第３の搬送ベルト３０を掛け渡すローラ２９に対向し、また、第２の分岐後搬送部２３の上下の第５及び第６の搬送ベルト３４，３６間の隙間４０を通過して第５の搬送ベルト３４を掛け渡すローラ３３に対向するようになっている。
【００３１】
揺動基板４１と揺動レバー４４とは、同期して同方向に揺動し、第１の搬送ベルト２６と第２の搬送ベルト２８とを接触させた状態でその搬出側を第１の位置とこの第１の位置と異なる第２の位置に移動させるようになっている。上記した第１の分岐後搬送部２２はその搬入側を上記第１の位置に近接して設けられ、上記した第２の分岐後搬送部２３はその搬入側を上記第２の位置に近接して設けられている。
【００３２】
次に、上記したように構成される分岐搬送装置の動作について説明する。
【００３３】
まず、図２及び図４に示すように、分岐搬送部２１から第１の分岐後搬送部２２に郵便物を案内する状態から第２の分岐後搬送部２３に切り替えて集積部１９へ案内する場合について説明する。
【００３４】
この場合には、揺動基板４１及び揺動レバー４４をそれぞれ矢印ａ方向に揺動させて図５及び図６に示すように、分岐搬送部２１の搬出側を第２の位置に移動させて第２の分岐後搬送部２３の搬入側に近接させる。これにより、分岐搬送部２１の第１及び第２の搬送ベルト２６，２８により挟持搬送されて搬出される郵便物は、第２の分岐後搬送部２３の搬入側に導入され、その第５及び第６の搬送ベルト３４，３６により挟持搬送されて集積部１９へと搬送される。
【００３５】
また、郵便物を集積部１９へ案内しない場合には、図５及び図６に示す状態から、揺動基板４１及び揺動レバー４４をそれぞれ矢印ｂ方向に揺動させて分岐搬送部２１の搬出側を第１の位置に移動させて第１の分岐後搬送部２２の搬入側に近接させる。これにより、分岐搬送部２１の第１及び第２の搬送ベルト２６，２８により挟持搬送される郵便物は、第１の分岐後搬送部２２の搬入側に導入され、その第３及び第４の搬送ベルト３０，３２により挟持搬送される。
【００３６】
上記したように、この実施の形態によれば、郵便物を挟持搬送する分岐搬送部２１を揺動さてその搬出部側を第１或いは第２の位置に移動させることにより、第１或いは第２の分岐後搬送部２２，２３の搬入部側に選択的に近接させて紙葉類の搬送方向を切り替えるため、搬送方向の切換え時に紙葉類を大きく屈曲させることなく、その方向を切り替えることができる。従って、紙葉類の厚さや硬さに制限を受けることなく、良好にその搬送方向を切り替えることができる。
【００３７】
また、分岐搬送部２１の搬出部側と第１及び第２の分岐後搬送部２２，２３の搬入部側との間に大きなスペースを必要とすることがないため、分岐搬送部２１の搬送ベルト２６，２８で紙葉類を挟持した状態で第１及び第２の分岐後搬送部２２，２３の搬入部に送り込むことができ、搬送安定性も良好に維持することができる。
【００３８】
なお、上記した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。また、実施形態やその変形は、発明の範囲や要旨に含まれるとともに、特許請求の範囲に記載された発明とその均等の範囲に含まれる。
【符号の説明】
【００３９】
２１…分岐搬送手段、２２…第１の分岐後搬送手段、２３…第２の分岐後搬送手段、２６，２８，３０，３２，３４，３６…第１乃至第６の搬送ベルト（搬送ベルト対）。
【図１】
2013193823.tif 000003
【図２】
2013193823.tif 000004
【図３】
2013193823.tif 000005
【図４】
2013193823.tif 000006
【図５】
2013193823.tif 000007
【図６】
2013193823.tif 000008